(57)【要約】  【課題】  箸の先端を浮かすことが可能で、かつ使い勝手のよい着脱式の箸用小物を提供する。  【解決手段】  箸が挿入される部分である筒部と、筒部から外方向に延び、箸の食材に触れる部分が載置面に着かないように箸を浮かせるための足部とを備える。筒部には、箸に設けられた取付部に嵌合して固定するための嵌合部を備える。【選択図】  図１
2018143562.tif 000002
【特許請求の範囲】
【請求項１】
箸が挿入される部分である筒部と、
前記筒部から外方向に延び、前記箸の食材に触れる部分が載置面に着かないように前記箸を浮かせるための足部とを備え、
前記筒部には、前記箸に設けられた取付部に嵌合して固定するための嵌合部を備える
ことを特徴とする箸用小物。
【請求項２】
前記箸用小物は、
前記箸の中央付近に取り付けられる箸用小物と、前記箸の後端付近に取り付けられる箸用小物とを含む
ことを特徴とする請求項１に記載の箸用小物。
【請求項３】
前記箸用小物は、
２本の箸を係留するための係留帯を備え、
前記係留帯に二つの前記筒部が接続している
ことを特徴とする請求項１または２に記載の箸用小物。
【請求項４】
箸が挿入される部分である筒部と、
前記筒部から外方向に延び、前記箸の食材に触れる部分が載置面に着かないように前記箸を浮かせるための足部とを備え、
前記筒部には、２本の箸を係留するための係留帯を備え、
前記係留帯に二つの前記筒部が接続している
ことを特徴とする箸用小物。
【請求項５】
前記係留帯は、くの字またはＭ字に屈曲している
ことを特徴とする請求項３、４のいずれかに記載の箸用小物。
【請求項６】
前記足部は、載置面との接触面に、滑り止め機能を有している
ことを特徴とする請求項１〜５のいずれか一項に記載の箸用小物。
【請求項７】
前記滑り止め機能の構造は、前記足部の少なくとも一部において、他の足部と異なる
ことを特徴とする請求項６に記載の箸用小物
【請求項８】
前記滑り止め機構は、吸盤である
ことを特徴とする請求項の６に記載の箸用小物。
【請求項９】
前記滑り止め機構は、高度５〜２５の柔らかい樹脂で構成される
ことを特徴とする請求項の６に記載の箸用小物。
【請求項１０】
前記筒部の外壁面に接続している複数の足部の長さが、接続している位置によって異なる、または位置によって無いことにより、載置した場合の箸の傾斜角度を変更することができる
ことを特徴とする請求項の１〜９のいずれか一項に記載の箸用小物。
【請求項１１】
前記箸用小物はシリコン樹脂で形成されている
ことを特徴とする請求項の１〜１０のいずれか一項に記載の箸用小物。
【請求項１２】
前記１〜１１のいずれか一項に記載の箸用小物を取り付けた箸。
【請求項１３】
前記１２に記載の箸であって、箸の先端部がスプーン形状またはフォーク形状であることを特徴とする箸。
【発明の詳細な説明】
【技術分野】
【０００１】
本発明は箸用小物、および箸に関する。
【背景技術】
【０００２】
箸の先端が食卓などの面に付かないように箸置きが利用される。また、箸置きの代わりに、箸に部材を取り付けたものを開示した特許文献がある。
【０００３】
特許文献１には、「箸の中間部の太さに対応した嵌合孔を有し、箸に着脱可能に構成されたことを特徴とする箸用環状体。」と記載されている。
【先行技術文献】
【特許文献】
【０００４】
【特許文献１】実開平５−２１７７２号公報
【発明の概要】
【発明が解決しようとする課題】
【０００５】
特許文献１の箸用環状体では、箸に強く嵌め込まれてしまった場合、箸から抜くことが難しい。また、転がりやすい、滑りやすいなど、必ずしも満足できる形状ではない。また、幼児や高齢者など箸の扱いがうまくできない人などにとって、利点となる形状を必ずしも備えていない。
【０００６】
本願発明は、箸の先端を浮かすことが可能で、かつ使い勝手のよい着脱式の箸用小物を提供することを目的とする。
【課題を解決するための手段】
【０００７】
本発明は、上記課題の少なくとも１つを解決するものであるが、その例を挙げるならば、次の通りである。すなわち、本発明の箸用小物は、箸が挿入される部分である筒部と、前記筒部から外方向に延び、前記箸の食材に触れる部分が載置面に着かないように前記箸を浮かせるための足部とを備え、前記筒部には、前記箸に設けられた取付部に嵌合して固定するための嵌合部を備えることを特徴とする。
【０００８】
前記箸用小物は、前記箸の中央付近に取り付けられる箸用小物と、前記箸の後端付近に取り付けられる箸用小物とを含んでもよい。
【０００９】
前記箸用小物は、２本の箸を係留するための係留帯を備え、前記係留帯に二つの前記筒部が接続していてもよい。
【００１０】
また、本発明の一態様は、箸が挿入される部分である筒部と、前記筒部から外方向に延び、前記箸の食材に触れる部分が載置面に着かないように前記箸を浮かせるための足部とを備え、前記筒部には、２本の箸を係留するための係留帯を備え、前記係留帯に二つの前記筒部が接続していることを特徴とする箸用小物である。
【００１１】
前記係留帯は、くの字またはＭ字に屈曲していてもよい。
【００１２】
前記足部は、載置面との接触面に、滑り止め機能を有していてもよい。
【００１３】
前記滑り止め機能の構造は、前記足部の少なくとも一部において、他の足部と異なってもよい。
【００１４】
前記滑り止め機構は、吸盤であってもよい。
【００１５】
前記滑り止め機構は、高度５〜２５の柔らかい樹脂で構成されていてもよい。
【００１６】
前記筒部の外壁面に接続している複数の足部の長さが、接続している位置によって異なる、または位置によって無いことにより、載置した場合の箸の傾斜角度を変更することができてもよい。
【００１７】
前記箸用小物はシリコン樹脂で形成されていてもよい。
【００１８】
以上基いずれか一項に記載の箸用小物を取り付けた箸、および、箸の先端部がスプーン形状またはフォーク形状であることを特徴とするものも本願発明に含まれる。
【図面の簡単な説明】
【００１９】
【図１】実施形態１に係る箸用小物を説明するための図である。
【図２】実施形態１に係る箸用小物を説明するための図である。
【図３】実施形態１に係る箸用小物を説明するための図である。
【図４】実施形態２に係る箸用小物を説明するための図である。
【図５】実施形態３に係る箸用小物を説明するための図である。
【図６】実施形態３に係る箸用小物の変形例を説明するための図である。
【図７】実施形態３に係る箸用小物の変形例を説明するための図である。
【図８】実施形態３に係る箸用小物の変形例を説明するための図である。
【図９】実施形態３に係る箸用小物の変形例を説明するための図である。
【図１０】実施形態３に係る箸用小物の変形例を説明するための図である。
【発明を実施するための形態】
【００２０】
以下、図面を参照して本願に係る箸用小物の実施形態の例を説明する。なお、下記のいくつかの実施形態の説明では、同一の構成要素については、説明を省略することがある。
【００２１】
＜実施形態１＞
図１は、実施形態１に係る箸用小物を説明するための図であり、図１（ａ）は、箸用小物をセット済の箸１を示し、（ｂ）は取り外した場合の箸本体２と箸用小物４、５を示す。（ｃ）は後述する他の嵌合方式を示す。
図２は、箸用小物４、５を説明するための図であり、（ａ）は中央取付部２４に取り付けられる箸用小物４の図であり、（ｂ）は後端取付部に取り付けられる箸用小物５の図である。
【００２２】
箸用小物セット済箸１は、箸本体２と箸用小物４、５とを備える。なお、便宜上、１本の箸を示しているが、２本で１組として使用される。
【００２３】
箸本体２は、断面が丸角の正方形で、長細い棒状の形状をなしている。箸本体２は、食材に触れる部分である先細りの作用部２１と、作用部２１の端である先端２０と、作用部２１に接続している握り部２２と、握り部２２の末端の後端２３とを有する。
【００２４】
箸本体２は、さらに、中央付近に一周に渡り外方向に隆起した中央取付部２４を有する。中央取付部２４は、箸用小物４が嵌合する部分である。中央取付部２４は、位置をずらして、複数（図１の例では、２カ所）設けることができる。複数設けることで、箸用小物４の取付け位置を容易に変更することができる。
【００２５】
箸本体２は、さらに、後端付近に一周に渡り外方向に隆起した後端取付部２５を有する。後端取付部２５は、箸用小物５が嵌合する部分である。
【００２６】
図２（ａ）に示すように、箸用小物４は、筒部４１と、足部４２（連結部４２１、外枠４２２）とを有する。
【００２７】
筒部４１は、四角柱の側壁のみ残した形状である。すなわち、箸本体２の断面の角丸の正方形に合致するように、断面が角丸の正方形の内壁を有する。
【００２８】
また、筒部４１の内側には、箸本体２の中央取付部２４の凸状部に嵌合するための凹部である嵌合部４５を有する。
【００２９】
足部４２は、筒部４１の４つの角から延びる連結部４２１と、連結部４２１に接続する外枠４２２を有する。
【００３０】
外枠４２２は、筒部４１の正方形状断面よりも一辺が長い正方形状の部材であり、箸用小物４が箸本体２にセットされて食卓など台に載置されたときに、台の面に接触する部分である。筒部４１の４つの角と外枠４２２の４つの角とを、連結部４２１が連結している。外枠４２２が大きい程、箸本体２が浮く度合いが大きくなる。
【００３１】
本実施形態では、外枠４２２は、正方形であるが。これに限定されない。ただし、転がらないように、多角形であるの好ましい。または、円形の場合は、転がりにくいように、楕円であることが好ましい。
【００３２】
図２（ｂ）に示すように、箸用小物５は、箸用小物４と同様に、筒部５１と、足部５２（連結部５２１、外枠５２２）とを有する。同様の形状については説明を省略する。
【００３３】
筒部５１の内側には、箸本体２の後端取付部２５の凸状部に嵌合するための凹部である嵌合部５５を有する。
【００３４】
箸用小物５は、箸本体２の後端に取り付けるため、筒部５１の後端側は、後端面５６を有する。ただし、完全に塞ぐと、空気が邪魔をして、取り付けにくくなるので、後端面５６には、空気孔５７が設けられている。また、幼児などの誤飲時の空気穴も兼ねている。
【００３５】
箸用小物４，５は、シリコンゴム（シリコン樹脂）、プラスチックなどの弾性部材で形成されるため、伸縮により、容易に箸本体２に嵌めることができる。
【００３６】
以上、本実施形態の箸用小物４，５について説明した。本実施形態によれば、箸を浮かせて載置することができるようになるので、箸の先端が食卓などの面に付かず、衛生的である。また、握り部も浮くことで、載置した箸を掴み取りやすくなる。
【００３７】
なお、箸が箸の下面より５ｍｍ〜２５ｍｍ浮くように、箸用小物４，５の大きさを設計することができる。
【００３８】
また、箸の中央付近と後端付近の２か所に箸を浮かせる機構を設けたので、箸全体を載置面に対して略平行に静止することができる。したがって、箸の先端（作用部）に液だれしやすいものが付着した場合でも、握り部の方に液が伝って来てしまうことを防止することができる。
【００３９】
また、テーブルなどから落としたときに箸の模様などを傷めにくくすることや、洗浄、収納時に箸同士の模様などを傷つけにくくすることができる。
【００４０】
また、箸用小物４は、着脱可能であるが、箸に予め定められた取付位置に取り付けられるため、箸の握り部側の太い部分に無理に押し込まれることがなく、取り外しできなくなる問題を回避することができる。
【００４１】
なお、箸本体の中央取付部２４および後端取付部２５は、箸用小物４，５が嵌合して取り付けられるのであれば、その形状に制限はない。例えば、中央取付部２４、後端取付部２５は、凸状の部分が外周の一周りに渡り形成されていなくても良い。例えば、図１（ｂ）において、上下方向にのみ凸状に形成されていてもよい。
【００４２】
また、これらの嵌合関係は逆であっても良い。また、嵌合部は一つのリング状であるが、複数でも良く、嵌合部はリング状でつながって無くとも良く、さらに、丸や四角の複数のブロック状であっても良い。
【００４３】
シリコンゴムで形成する場合、高度４０〜７０、好ましくは高度５０〜６５が適切である。
【００４４】
また、図１（ｃ）に示すように、箸本体２の中央取付部２４、後端取付部２５に、リング状に凹みを形成してもよい。そして、箸用小物４，５の筒部４１、５１を、凹んだ部分の大きさよりもやや小さくした貫通孔を形成したものとし、伸縮力により、固定するようにしてもよい。
【００４５】
また、箸本体２の中央取付部２４、及び後端取付部２５の凹みは、一周に渡り形成されているのではなく、一部だけ凹んでいるものであってよい。箸用小物４，５の筒部４１、５１の内側には、これに嵌合する凸部を設けるようにしてもよい
箸用小物４，５の筒部４１、５１の内側には、これに嵌合する凸部を設けるようにしてもよい。  また、箸本体２が、断面が略正方形であるものである場合について説明したが、これに限定されない。箸本体の断面の形状（例えば円形）に合わせて、筒部４１、５１の形状（例えば、円形）を適宜、選択することができる。
【００４６】
また、箸用小物４、５の外枠の大きさ（高さ）を互いに異なるようにする事で、箸本体２の傾斜角度を変えることができる。
【００４７】
また、筒部４１、５１は、必ずしも箸本体２の周囲を一回りに区切れることなく囲う形状でなくてもよい。取り付けできるのであれば、一部が開いている形状（例えば、箸の軸に垂直な面における断面において、コの字）であってもよい。
【００４８】
なお、図３に示すように、箸用小物４のみを付けて使用するようにしてもよい。この場合は、箸本体２には、中央取付部２４のみが設けてあればよい。
【００４９】
＜実施形態２＞
図４は、実施形態２における箸用小物４ａ、５ｂを説明するための図である。（ａ）は、箸本体２に箸用小物４ａ、５ｂをセットし、傾斜するように食卓に置いたときの図であり、（ｂ）は平行になるように食卓に置いたときの図である。なお、上記実施形態と同様の構成については説明を省略する。
【００５０】
箸本体２は、上記実施形態１の箸本体２と同様である。
【００５１】
箸用小物４ａは、筒部４１ａと、足部４２ａ（連結部４２１ａと、足先４２２ａ）を備える。
【００５２】
筒部４１ａの内側には、上記実施形態１の箸用小物４の筒部４１の内側と同様に、箸本体の中央取付部２４の凸部に嵌合するための凹部である嵌合部を備える。
【００５３】
連結部４２１ａは、略四角柱の筒部４１ａの４つの外壁面から延び、４つの分離した足部４２ａに接続している。
【００５４】
すなわち、箸用小物４ａは、側面図において、十字形状をなしている。
【００５５】
箸用小物５ａは、筒部５１ａと、足部５２ａ（連結部５２１ａ、足先５２２ａ）とを備える。
【００５６】
筒部５１ａの内側には、上記実施形態１の箸用小物５の筒部５１の内側と同様に、箸本体の後端取付部２５の凸部に嵌合するための凹部である嵌合部を備える。
【００５７】
連結部５２１ａは、略四角柱の筒部５１ａの対向する２つの外壁面から延び、２つの分離した足部５２ａに接続している。
【００５８】
すなわち、箸用小物５ａは、側面図において、一文字形状をなしている。
【００５９】
上記形状により、図４（ａ）に示すように、後端の箸用小物５ａの足部５２ａが台の面に当たらないように載置すれば、箸１ａを傾斜させて置くことができる。
【００６０】
一方、後端の箸用小物５ａの足部５２ａが台の面に当たるように載置すれば、箸１ａを台の面に平行に置くことができる。
【００６１】
したがって、状況によって、箸の置く際の箸の傾き選択することができる。すなわち、通常の箸置きの場合のように、箸の先端が上を向くように置きたい場合は、（ａ）の置き方を選び、液だれしやすいものが箸の先端に付着した場合は、（ｂ）の置き方を選べばよい。
【００６２】
足部５２ａの長さを、接続している筒部５１ａの外壁面の位置によって異ならせてもよい。すなわち、箸用小物５ａは、筒部５１ａの外壁面に接続している複数の足部５２ａの長さが、接続している外壁面の位置によって異なる、または位置によって有ったり、無かったりする。このことにより、載置した場合の箸の傾斜角度を変更することができる。
【００６３】
＜実施形態３＞
図５は、実施形態３の箸用小物４ｂ、５ｂを説明するための図である。
【００６４】
箸用小物４ｂ、５ｂは、２本の箸を係留する点で、上記実施形態と異なる。なお、箸本体は、上記実施形態と同様である。
【００６５】
箸用小物４ｂは、係留帯４６ｂで係留した２つの筒部４１ｂを備え、それぞれ、足部（連結部４２１ｂと、足先４２２ｂ）を備える。
【００６６】
係留帯４６ｂは、シリコンゴム、プラスチックなどの弾性の部材であり、薄い帯状形状をなしている。２本の箸を近づけやすいように、予め「く」の字に屈曲している。係留帯４６ｂは、筒部４１ｂ等とともに一体成形されたものであってもよい。
【００６７】
なお、係留耐４６ｂの形状は、Ｍ字状や半円状に湾曲しているなどでも良く、箸本体２の先端でつまむ動作を邪魔しない構造であれば良い。
【００６８】
筒部４１ｂの内側には、上記実施形態１の箸用小物４の筒部４１の内側と同様に、箸本体２の中央取付部２４の凸部に嵌合するための凹部である嵌合部を備える。
【００６９】
足部４２ｂは、略四角柱の筒部４１ｂの４つの外壁面のうち、係留した箸用小物４ｂの並び方向に垂直な２つの外壁面から延びている。すなわち、１つの筒部４１ｂから、２つ足部４２ｂが伸びている。
【００７０】
その結果、箸用小物４ｂは、側面方向から見ると、Ｈ字形状をなしている
足先４２２ｂは、滑り止め機能を備えている。具体的には、小さな凹みが形成されており、弾性部材であるので、吸盤として機能することで滑り止めとなる。
【００７１】
箸用小物５ｂは、係留帯５６ｂで係留した２つの筒部５１ｂを備え、それぞれ、足部５２ｂ（連結部５２１ｂと、足先５２２ｂ）を備える。
【００７２】
係留帯５６ｂは、シリコンゴム、プラスチックなどの弾性の部材である。２本の箸の後端部を適度に離すように、予めＭ字状に屈曲している。係留帯５６ｂは、筒部５１ｂ等とともに一体成形されたものであってもよい。
【００７３】
また、係留帯５６ｂの形状は「く」の字状や半円状に湾曲しているなどでも良く、箸本体２の先端でつまむ動作を邪魔しない構造であれば良い。
【００７４】
筒部５１ｂの内側には、上記実施形態１の箸用小物５の筒部５１の内側と同様に、箸本体２の後端取付部２５の凸部に嵌合するための凹部である嵌合部を備える。
【００７５】
足部５２ｂは、略四角柱の筒部５１ｂの４つの外壁面のうち、係留した箸用小物５ｂの並び方向に垂直な２つの外壁面から延びている。すなわち、１つの筒部５１ｂから、２つ足部５２ｂが伸びている。
【００７６】
その結果、箸用小物５ｂは、側面方向から見ると、Ｈ字形状をなしている。
【００７７】
なお、箸用小物５ｂは、後端面５６ｂを有し、空気が抜ける孔５７ｂを備える。
【００７８】
上記の箸用小物４ｂ、５ｂによれば、箸を載置したときに、先端が台に付着するのを防止すとともに、載置した箸が台から浮いているので掴みやすくなる。また、２本の箸がばらばらになることがなく、かならず２本の箸が揃えられて載置されるので、掴み取りやすい。また、２本の箸が係留されているので、握力が弱い人や、箸の扱いがうまくない人の箸の使用を助けることができる。
【００７９】
箸同士を糸などでつないだ場合、使用している間に箸が回転することで、糸が箸に絡まってしまい箸の間隔が狭くなってしまう。一方、本実施形態にように、形状を維持するシリコンゴムなどにより係留することで、箸の回転が発生しても、反発力で戻り、定位置に戻るために、上記のような絡まり間隔が狭くなることがない。
【００８０】
図６は、傾斜して置くことができるようにした変形例（箸用小物が取り付けられた箸１ｃ）を示す。変形例では、中央取付部２４には、上述の箸用小物４ｂを取り付けるが、後端には、上述の箸用小物５ｂから足部５２ｂを無くした形状である箸用小物５ｃが取り付けられている。
【００８１】
箸用小物５ｃは足部を備えていないが、載置したときに台に当たる面（筒部５１ｃの４つの外壁面にうち、係留した２本の箸の並び方向に垂直が外壁面）に滑り止め加工（凹みによる複数の細微な吸盤）が施してある。
【００８２】
図７に示すように、調理箸を鍋やフライパンなどの傾斜した蓋の上に置きたい場合があるが、上記箸用小物をセット済の箸１ｃによれば、載置したときに滑り落ちることを防止することができ、使い勝手がよい。特にガラス蓋などは滑りやすいが、滑り止めにより、滑り落ちるのを効果的に防止することができる。
【００８３】
また、滑り止め機能をもたせた接触部の形状を、箸の長手方向に対し同一方向に細長く形成することで、蓋の上に置いたときでも、滑り落ちしにくくすることができる。すなわち、蓋は、通常、中央のノブ付近が盛上がり、外周に向かって下り坂に傾斜しているが、箸を蓋の上に置いた場合、傾斜方向に対して接触部が直角になるため、滑り落ちにくい。
【００８４】
また、係留帯により、２本の箸を係留していることから、２本の箸がバラバラにならず、かつ、係留帯が弾性であることから、４つの接点で載置面に安定して接触して載置されるので、載置面が傾斜していても、滑りを抑制することができる。
【００８５】
なお、載置面に接触する部分に対する滑り止めは、上記いずれの実施形態の箸用小物についても適用することができる。
【００８６】
図８は、足部の載置面の接触部分（足先）に、高度５〜２５（好ましくは、例えば高度６〜２０）の柔らかい樹脂（シリコンゴムやエラストマなどを含む）を二重成形したり、貼り付けたり、はめ込みなどによる取り付け方法を用いることで、滑り止め部Ｐとして機能させた箸用小物４ｄ、５ｄを示す。または、足先に粘性を持たせることで、滑り止め機能を果たすようにしたものを示す。
【００８７】
滑り止め部Ｐについては、仮にシリコンゴム高度６０度としたとき、ガラス板の場合傾斜角度が約６度程度でも徐々に滑り落ちる。一方先端をシリコンゴム高度約１０度で形成した場合１５度の傾斜角度でも滑り落ちなかった。なお、箸用小物４ｄは、筒部４１ｄの内側に嵌合部を設けていない。箸用小物４ｄを、シリコンゴムなど柔軟材を用いる事により箸本体２より小さい嵌合穴を設けて、箸本体２にはめ込む方式としている。そして、２つの筒部４ｄを係留帯で係留している。なお、シリコンゴムで形成する場合、高度４０〜７０、好ましくは高度５０〜６５が適切である。
【００８８】
図９は、滑り止め部Ｐの高度を柔らかくしたと共に、滑り止め部Ｐの先端部を分離させる事で滑り止め効果を高めた箸用小物４ｅ、５ｅを示す。分離させた先端面は線状、クロス状の模様などし、微細な凹凸とする事で効果が一層高くなる。
【００８９】
なお、４つの足部の一部について分離した滑り止め部Ｐとしてもよい。例えば、図９に示すように、一方の面側の足部にのみ分離した滑り止めＰを加工してもよい。または、中央取付部用の箸用小物４ｅのみ、もしくは後端取付部の箸用小物５ｅのみに、分離した滑り止めを設けてもよい。
【００９０】
載置される面の性質によって、滑り止めが効きやすい構造が異なるが、複数（図９の例では、４つ）の足部が複数種類の滑り止め構造を備えるようにすれば、より滑り止めが効きやすい置き方を選択することできる。そして、滑り止めを効果的に機能させることができる。
【００９１】
上記実施形態の箸用小物において、さまざまな形状の箸を使用することができる。
【００９２】
上記実施形態では、箸本体２は、先端が先細りの場合について説明したが、先細りでなくてもよい。例えば、先端から握り部を経て後端に至るまでが略同じ太さの箸であってもよい。その場合、中央取付部用の箸用小物は、箸の後端から差し込むことができる。
【００９３】
図１０は、先端部が広がっている箸１ｆを示す図である。
【００９４】
具体的には、１組の箸のうち片方の箸２ｓは、先端が分岐したスプーン形状である。他方の箸２ｆは、先端がフォーク形状である。このような先端が特殊な形状の箸であっても、上記実施形態の箸用小物が適用できる。かかる場合、中央取付部用の箸用小物４ｂの筒部は、箸の後端部から差し込める程度の貫通孔が形成されており、箸に形成された取付部に嵌合する嵌合部により固定されている。
【００９５】
スプーン形状やフォーク形状のように、箸の軸に対して対称形状でない場合、係留帯を備える箸用小物を使用することで、それぞれを適切な向きに保つことができる。すなわち、図１０に示すように、互いに向き合わせて保持することができるため、係留帯がない場合に比べて、扱いが容易である。
【００９６】
なお、２本ともスプーン形状の箸としても良いし、２本ともフォーク形状の箸としても良い。
【００９７】
２本ともスプーン形状の箸とし、互いにさじ部が向き合うようにすれば、豆などの丸いものを容易につまめる箸となる。また、梅干しなどのやわらかいものを形状を壊さずに掴める箸となる。
【００９８】
また、上記実施形態に適用される２本の箸は、互いに異なる太さであってもよい。かかる場合、箸用小物の筒部は、それぞれの太さに応じた大きさに形成されている。使用時に箸を掴むときは、太い箸の方を下にして、細い方を上にして、細い方を人差し指と中指と親指で操作して使用することができる。箸の使用時は、上側の箸（すなわち、人差し指と中指と親指で挟んで動かされる箸）が主に動かされるが、細くて軽い方を主に動かす箸とすることで、扱いが楽になる。
【００９９】
また、上記実施形態に適用される２本の箸は、互いに長さが異なってもよい。互いに長さがことなる場合でも、係留帯で係留されていれば、ばらばらになることなく扱うことができる。
【０１００】
また、複数の組の箸に対して、異なる形状の箸用小物を使用することで、異なる形態の箸の組を簡単に用意することができる。例えば、食卓において、食事を取り分ける用の箸と、食べる用の箸とが使い分けられている。そのような場合に、同一の形状の複数の組の箸に対して、異なる形状の箸用小物を使用する。そうすれば、取り分け用の箸と、各自が口に運ぶ用の箸を明確に分けることができる。
【０１０１】
以上、本発明に係る結構器具の実施形態について説明したが、これらは本発明の実施形態の一例に過ぎず、本発明はこれらに限定されるものではない。
【符号の説明】
【０１０２】
１、１ａ、１ｂ、１ｃ、１ｄ、１ｅ・・・箸用小物セット済みの箸
２・・・箸本体
４、４ａ、４ｂ、５ｄ、５ｅ・・・箸用小物
４１、４１ａ、４１ｂ・・・筒部
４２、４２ａ、４２ｂ、４２ｄ、４２ｅ・・・足部
４６ｂ・・・係留帯
５、５ａ、５ｂ、５ｃ・・・箸用小物
５１、５１ａ、５１ｂ、５１ｃ・・・筒部
５２、５２ａ、５２ｂ、５２ｄ、５２ｅ・・・足部
５６ｂ・・・係留帯
Ｐ・・・滑り止め部
【図１】
2018143562.tif 000003
【図２】
2018143562.tif 000004
【図３】
2018143562.tif 000005
【図４】
2018143562.tif 000006
【図５】
2018143562.tif 000007
【図６】
2018143562.tif 000008
【図７】
2018143562.tif 000009
【図８】
2018143562.tif 000010
【図９】
2018143562.tif 000011
【図１０】
2018143562.tif 000012
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
箸が挿入される部分である筒部と、
前記筒部から外方向に延び、前記箸の食材に触れる部分が載置面につかないように前記箸を浮かせるための足部とを備え、
前記筒部には、前記箸に設けられた取付部に篏合して固定するための篏合部を備え、
前記箸の中央付近に取り付けられる箸用小物と、前記箸の後端付近に取り付けられる箸用小物とを含み、
２本の箸を係留するために少なくとも一つの係留帯を備え、
前記係留帯に二つの筒部が接続している
ことを特徴とする箸用小物。
【請求項２】
前記取付部は、複数設けられている、
ことを特徴とする請求項１に記載の箸用小物。
【請求項３】
前記係留帯は、くの字またはＭ字に屈曲している
ことを特徴とする請求項１又は２に記載の箸用小物。
【請求項４】
前記足部は、載置面との接触面に、滑り止め部を有している
ことを特徴とする請求項１〜３のいずれか一項に記載の箸用小物。
【請求項５】
前記筒部は、複数の前記足部を備えている
ことを特徴とする請求項１〜４のいずれか一項に記載の箸用小物。
【請求項６】
箸が挿入される部分である筒部と、
前記筒部から外方向に延び、前記箸の食材に触れる部分が載置面につかないように前記箸を浮かせるための複数の足部とを備え、
前記筒部には、前記箸に設けられた取付部に篏合して固定するための篏合部を備え、
前記箸の中央付近に取り付けられる箸用小物と、前記箸の後端付近に取り付けられる箸用小物とを含み、
２本の箸を係留するために少なくとも一つの係留帯を備え、
前記係留帯に二つの筒部が接続し、
前記足部は、載置面との接触面に、滑り止め部を有し、
前記滑り止め部の形状は、前記足部の少なくとも一部において、他の足部と異なる
ことを特徴とする箸用小物。
【請求項７】
箸が挿入される部分である筒部と、
前記筒部から外方向に延び、前記箸の食材に触れる部分が載置面につかないように前記箸を浮かせるための足部とを備え、
前記筒部には、前記箸に設けられた取付部に篏合して固定するための篏合部を備え、
前記箸の中央付近に取り付けられる箸用小物と、前記箸の後端付近に取り付けられる箸用小物とを含み、
２本の箸を係留するために少なくとも一つの係留帯を備え、
前記係留帯に二つの筒部が接続し、
前記足部は、載置面との接触面に、滑り止め部を有し、
前記滑り止め部は、吸盤である
ことを特徴とする箸用小物。
【請求項８】
箸が挿入される部分である筒部と、
前記筒部から外方向に延び、前記箸の食材に触れる部分が載置面につかないように前記箸を浮かせるための足部とを備え、
前記筒部には、前記箸に設けられた取付部に篏合して固定するための篏合部を備え、
前記箸の中央付近に取り付けられる箸用小物と、前記箸の後端付近に取り付けられる箸用小物とを含み、
２本の箸を係留するために少なくとも一つの係留帯を備え、
前記係留帯に二つの筒部が接続し、
前記足部は、載置面との接触面に、滑り止め部を有し、
前記滑り止め部は、硬度５〜２５の柔らかい樹脂で構成され、
前記筒部は、硬度４０〜７０の樹脂で構成される
ことを特徴とする箸用小物。
【請求項９】
前記滑り止め部は、硬度５〜２５の柔らかい樹脂で構成され、
前記筒部は、硬度４０〜７０の樹脂で構成される
ことを特徴とする請求項４又は５に記載の箸用小物。
【請求項１０】
前記筒部の外壁面に接続している複数の足部の長さが、接続している位置によって異なる、または位置によって無いことにより、載置した場合の箸の傾斜角度を変更することができる
ことを特徴とする請求項の１〜９のいずれか一項に記載の箸用小物。
【請求項１１】
前記箸用小物はシリコン樹脂で形成されている
ことを特徴とする請求項の１〜１０のいずれか一項に記載の箸用小物。
【請求項１２】
前記１〜１１のいずれか一項に記載の箸用小物を取り付けた箸。
【請求項１３】
前記１２に記載の箸であって、箸の先端部がスプーン形状またはフォーク形状であることを特徴とする箸。
【手続補正２】
【補正対象書類名】明細書
【補正対象項目名】００１５
【補正方法】変更
【補正の内容】
【００１５】
前記滑り止め機構は、硬度５〜２５の柔らかい樹脂で構成されていてもよい。
【手続補正３】
【補正対象書類名】明細書
【補正対象項目名】００４３
【補正方法】変更
【補正の内容】
【００４３】
シリコンゴムで形成する場合、硬度４０〜７０、好ましくは硬度５０〜６５が適切である。
【手続補正４】
【補正対象書類名】明細書
【補正対象項目名】００８６
【補正方法】変更
【補正の内容】
【００８６】
図８は、足部の載置面の接触部分（足先）に、硬度５〜２５（好ましくは、例えば硬度６〜２０）の柔らかい樹脂（シリコンゴムやエラストマなどを含む）を二重成形したり、貼り付けたり、はめ込みなどによる取り付け方法を用いることで、滑り止め部Ｐとして機能させた箸用小物４ｄ、５ｄを示す。または、足先に粘性を持たせることで、滑り止め機能を果たすようにしたものを示す。
【手続補正５】
【補正対象書類名】明細書
【補正対象項目名】００８７
【補正方法】変更
【補正の内容】
【００８７】
滑り止め部Ｐについては、仮にシリコンゴム硬度６０度としたとき、ガラス板の場合傾斜角度が約６度程度でも徐々に滑り落ちる。一方先端をシリコンゴム硬度約１０度で形成した場合１５度の傾斜角度でも滑り落ちなかった。なお、箸用小物４ｄは、筒部４１ｄの内側に嵌合部を設けていない。箸用小物４ｄを、シリコンゴムなど柔軟材を用いる事により箸本体２より小さい嵌合穴を設けて、箸本体２にはめ込む方式としている。そして、２つの筒部４ｄを係留帯で係留している。なお、シリコンゴムで形成する場合、硬度４０〜７０、好ましくは硬度５０〜６５が適切である。
【手続補正６】
【補正対象書類名】明細書
【補正対象項目名】００８８
【補正方法】変更
【補正の内容】
【００８８】
図９は、滑り止め部Ｐの硬度を柔らかくしたと共に、滑り止め部Ｐの先端部を分離させる事で滑り止め効果を高めた箸用小物４ｅ、５ｅを示す。分離させた先端面は線状、クロス状の模様などし、微細な凹凸とする事で効果が一層高くなる。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
箸が挿入される部分である筒部と、
前記筒部から外方向に延び、前記箸の食材に触れる部分が載置面につかないように前記箸を浮かせるための足部とを備え、
前記箸の中央付近に取り付けられる箸用小物と、前記箸の後端付近に取り付けられる箸用小物とを含み、
前記中央付近に取り付けられる箸用小物の筒部には、前記箸に設けられた取付部に篏合して固定するための篏合部を備え、
２本の箸を係留するために少なくとも一つの係留帯を備え、
前記係留帯に二つの筒部が接続し、
前記足部は、係留方向に垂直な方向に延びている
ことを特徴とする箸用小物セット。
【請求項２】
前記係留帯は、くの字またはＭ字に屈曲している
ことを特徴とする請求項１に記載の箸用小物セット。
【請求項３】
前記足部は、載置面との接触面に、滑り止め部を有している
ことを特徴とする請求項１又は２に記載の箸用小物セット。
【請求項４】
前記筒部は、複数の前記足部を備えている
ことを特徴とする請求項１〜３のいずれか一項に記載の箸用小物セット。
【請求項５】
箸が挿入される部分である筒部と、
前記筒部から外方向に延び、前記箸の食材に触れる部分が載置面につかないように前記箸を浮かせるための複数の足部とを備え、
前記箸の中央付近に取り付けられる箸用小物と、前記箸の後端付近に取り付けられる箸用小物とを含み、
前記中央付近に取り付けられる箸用小物の筒部には、前記箸に設けられた取付部に篏合して固定するための篏合部を備え、
２本の箸を係留するために少なくとも一つの係留帯を備え、
前記係留帯に二つの筒部が接続し、
前記足部は、載置面との接触面に、滑り止め部を有し、
前記滑り止め部の形状は、前記足部の少なくとも一部において、他の足部と異なる
ことを特徴とする箸用小物セット。
【請求項６】
箸が挿入される部分である筒部と、
前記筒部から外方向に延び、前記箸の食材に触れる部分が載置面につかないように前記箸を浮かせるための足部とを備え、
前記箸の中央付近に取り付けられる箸用小物と、前記箸の後端付近に取り付けられる箸用小物とを含み、
前記中央付近に取り付けられる箸用小物の筒部には、前記箸に設けられた取付部に篏合して固定するための篏合部を備え、
２本の箸を係留するために少なくとも一つの係留帯を備え、
前記係留帯に二つの筒部が接続し、
前記足部は、載置面との接触面に、滑り止め部を有し、
前記滑り止め部は、吸盤である
ことを特徴とする箸用小物セット。
【請求項７】
箸が挿入される部分である筒部と、
前記筒部から外方向に延び、前記箸の食材に触れる部分が載置面につかないように前記箸を浮かせるための足部とを備え、
前記箸の中央付近に取り付けられる箸用小物と、前記箸の後端付近に取り付けられる箸用小物とを含み、
前記中央付近に取り付けられる箸用小物の筒部には、前記箸に設けられた取付部に篏合して固定するための篏合部を備え、
２本の箸を係留するために少なくとも一つの係留帯を備え、
前記係留帯に二つの筒部が接続し、
前記足部は、載置面との接触面に、滑り止め部を有し、
前記滑り止め部は、硬度５〜２５の柔らかい樹脂で構成され、
前記筒部は、硬度４０〜７０の樹脂で構成される
ことを特徴とする箸用小物セット。
【請求項８】
前記滑り止め部は、硬度５〜２５の柔らかい樹脂で構成され、
前記筒部は、硬度４０〜７０の樹脂で構成される
ことを特徴とする請求項３に記載の箸用小物セット。
【請求項９】
前記筒部の外壁面に接続している複数の足部の長さが、接続している位置によって異なる、または位置によって無いことにより、載置した場合の箸の傾斜角度を変更することができる
ことを特徴とする請求項１〜８のいずれか一項に記載の箸用小物セット。
【請求項１０】
前記箸用小物セットはシリコン樹脂で形成されている
ことを特徴とする請求項１〜９のいずれか一項に記載の箸用小物セット。
【請求項１１】
請求項１〜１０のいずれか一項に記載の箸用小物セットを取り付けた箸。
【請求項１２】
請求項１１に記載の箸であって、箸の先端部がスプーン形状またはフォーク形状であることを特徴とする箸。
【手続補正３】
【補正対象書類名】明細書
【補正対象項目名】０００７
【補正方法】変更
【補正の内容】
【０００７】
本発明は、上記課題の少なくとも１つを解決するものであるが、その例を挙げるならば、次の通りである。すなわち、本発明の箸用小物セットは、箸が挿入される部分である筒部と、前記筒部から外方向に延び、前記箸の食材に触れる部分が載置面に着かないように前記箸を浮かせるための足部とを備え、前記箸の中央付近に取り付けられる箸用小物と、前記箸の後端付近に取り付けられる箸用小物とを含んでもよい。
【手続補正４】
【補正対象書類名】明細書
【補正対象項目名】０００８
【補正方法】変更
【補正の内容】
【０００８】
前記箸用小物セットは、前記中央付近に取り付けられる箸用小物の筒部には、前記箸に設けられた取付部に嵌合して固定するための嵌合部を備えていてもよい。
【手続補正５】
【補正対象書類名】明細書
【補正対象項目名】０００９
【補正方法】変更
【補正の内容】
【０００９】
前記箸用小物セットは、２本の箸を係留するための係留帯を備え、前記係留帯に二つの前記筒部が接続していてもよい。
【手続補正６】
【補正対象書類名】明細書
【補正対象項目名】００１０
【補正方法】変更
【補正の内容】
【００１０】
また、本発明の一態様は、箸が挿入される部分である筒部と、前記筒部から外方向に延び、前記箸の食材に触れる部分が載置面に着かないように前記箸を浮かせるための足部とを備え、前記筒部には、２本の箸を係留するための係留帯を備え、前記係留帯に二つの前記筒部が接続し、前記足部は、係留方向に垂直な方向に延びていることを特徴とする箸用小物セットである。
【手続補正７】
【補正対象書類名】明細書
【補正対象項目名】００１７
【補正方法】変更
【補正の内容】
【００１７】
前記箸用小物セットはシリコン樹脂で形成されていてもよい。
【手続補正８】
【補正対象書類名】明細書
【補正対象項目名】００１８
【補正方法】変更
【補正の内容】
【００１８】
以上、いずれか一項に記載の箸用小物セットを取り付けた箸、および、箸の先端部がスプーン形状またはフォーク形状であることを特徴とするものも本願発明に含まれる。